(57)【要約】【課題】野縁に下地材を容易に固定することができる下地材固定具、天井構造および下地材固定方法を提供する。【解決手段】野縁１２に取り付けられて、下地材１３を固定可能な下地材固定具１において、野縁１２に固定される野縁固定部２と、野縁固定部２と接続され下地材１３を支持する下地材支持部３と、を有し、下地材支持部３は、野縁固定部２から側方に突出する下側支持片７と、下側支持片７よりも上側において野縁固定部２から側方に突出する上側押さえ片８と、を有し、下側支持片７と上側押さえ片８との間に下地材１３を配置可能に構成され、上側押さえ片８は、野縁固定部２に近接・離間する方向に弾性変形可能に構成されている。【選択図】図４
2019094649.tif 000002
【特許請求の範囲】
【請求項１】
野縁に取り付けられて、下地材を固定可能な下地材固定具において、
前記野縁に固定される野縁固定部と、
前記野縁固定部と接続され前記下地材を支持する下地材支持部と、を有し、
前記下地材支持部は、前記野縁固定部から側方に突出する下側支持片と、
前記下側支持片よりも上側において前記野縁固定部から側方に突出する上側押さえ片と、を有し、
前記下側支持片と前記上側押さえ片との間に前記下地材を配置可能に構成されていて、
前記上側押さえ片は、前記野縁固定部に近接・離間する方向に弾性変形可能に構成されていることを特徴とする下地材固定具。
【請求項２】
前記野縁固定部は、前記野縁に形成された凹部または凸部に係合する野縁係合部を有する請求項１に記載の下地材固定具。
【請求項３】
前記上側押さえ片および前記下側支持片は、前記下地材を上下方向から挟持可能に構成されている請求項１または２に記載の下地材固定具。
【請求項４】
前記野縁固定部は、前記野縁の上面に沿って配置される上板部と、
前記上板部の両側縁部それぞれから下側に延びて前記野縁の側面に沿って配置される一対の側板部と、を有し、
前記上側押さえ片および前記下側支持片は、前記一対の側板部それぞれから側方に突出している請求項１乃至３のいずれか一項に記載の下地材固定具。
【請求項５】
前記一対の側板部は、前記野縁を側方から挟持可能に構成されている請求項４に記載の下地材固定具。
【請求項６】
野縁と、前記野縁に固定された下地材固定具と、前記下地材固定具に支持された下地材と、を有する天井構造において、
前記下地材固定具は、前記野縁に固定される野縁固定部と、
前記野縁固定部と接続され前記下地材を支持する下地材支持部と、を有し、
前記下地材支持部は、前記野縁固定部から側方に突出する下側支持片と、
前記下側支持片よりも上側において前記野縁固定部から側方に突出する上側押さえ片と、を有し、
前記上側押さえ片は、前記野縁固定部に近接・離間する方向に弾性変形可能に構成され、
前記下地材は、前記下側支持片と前記上側押さえ片との間に配置されていることを特徴とする天井構造。
【請求項７】
下地材を下地材固定具を介して野縁に固定する下地材固定方法において、
前記下地材固定具を前記野縁に固定する下地材固定具取付工程と、
前記下地材固定具に前記下地材を固定する下地材固定工程と、を有し、
前記下地材固定具は、前記野縁に固定される野縁固定部と、
前記野縁固定部と接続され前記下地材を支持する下地材支持部と、を有し、
前記下地材支持部は、前記野縁固定部から側方に突出する下側支持片と、
前記下側支持片よりも上側において前記野縁固定部から側方に突出する上側押さえ片と、を有し、
前記上側押さえ片は、前記野縁固定部に近接・離間する方向に弾性変形可能に構成されていて、
前記下地材固定工程では、前記下地材を前記上側押さえ片の上方から下側に下降させて、前記下地材で前記上側押さえ片を上側から押して前記野縁固定部に近接する方向に弾性変形させ、前記下地材をさらに下降させて前記上側押さえ片よりも下側に配置するとともに、前記上側押さえ片の弾性変形を復元させて前記下地材を前記上側押さえ片と前記下側支持片との間に配置することを特徴とする下地材固定方法。
【発明の詳細な説明】
【技術分野】
【０００１】
本発明は、下地材固定具、天井構造および下地材固定方法に関する。
【背景技術】
【０００２】
従来、天井を補強したり、天井の遮音性を向上させたりするために、天井の内部の野縁に下地材固定具を介して下地材を固定することがある（例えば、特許文献１参照）。
特許文献１に開示された下地材固定具は、隣り合う野縁それぞれに固定されて、下地材の上側に配置される上側押さえ片（支持片）と、下側に配置される下側支持片（位置合わせ片）とで下地材の縁部を上下から挟むように構成されている。
【先行技術文献】
【特許文献】
【０００３】
【特許文献１】特許第４７９８５２６号公報
【発明の概要】
【発明が解決しようとする課題】
【０００４】
特許文献１に開示された下地材固定具は、上側押さえ片が側方に突出しているため、下地材を下地材固定具の上方から落とし込むようにして下側支持片の上に設置することができない。このため、このような下地材固定具で下地材を固定する場合には、下地材を下地材固定具の側方から上側押さえ片と下側支持片との間に挿入する必要があり、作業性が悪いという問題がある。
さらに、壁部の近傍などにおいて下地材を設ける場合、下地材固定具の側方にスペースがなく、下地材を下地材固定具の側方から上側押さえ片と下側支持片との間に挿入ができないことがある。このようなときには、下地材固定具をずらして下地材を設置位置に配置し、下地材固定具の位置を戻して上側押さえ片と下側支持片との間に下地材を挿入させるようにしなければならず、作業性が悪いという問題がある。
【０００５】
そこで、本発明は、野縁に下地材を容易に固定することができる下地材固定具、天井構造および下地材固定方法を提供することを目的とする。
【課題を解決するための手段】
【０００６】
上記目的を達成するため、本発明に係る下地材固定具は、野縁に取り付けられて、下地材を固定可能な下地材固定具において、前記野縁に固定される野縁固定部と、前記野縁固定部と接続され前記下地材を支持する下地材支持部と、を有し、前記下地材支持部は、前記野縁固定部から側方に突出する下側支持片と、前記下側支持片よりも上側において前記野縁固定部から側方に突出する上側押さえ片と、を有し、前記下側支持片と前記上側押さえ片との間に前記下地材を配置可能に構成されていて、前記上側押さえ片は、前記野縁固定部に近接・離間する方向に弾性変形可能に構成されていることを特徴とする。
【０００７】
また、本発明に係る天井構造では、野縁と、前記野縁に固定された下地材固定具と、前記下地材固定具に支持された下地材と、を有する天井構造において、前記下地材固定具は、前記野縁に固定される野縁固定部と、前記野縁固定部と接続され前記下地材を支持する下地材支持部と、を有し、前記下地材支持部は、前記野縁固定部から側方に突出する下側支持片と、前記下側支持片よりも上側において前記野縁固定部から側方に突出する上側押さえ片と、を有し、前記上側押さえ片は、前記野縁固定部に近接・離間する方向に弾性変形可能に構成され、前記下地材は、前記下側支持片と前記上側押さえ片との間に配置されていることを特徴とする。
【０００８】
また、本発明に係る下地材固定方法では、下地材を下地材固定具を介して前記野縁に固定する下地材固定方法において、前記下地材固定具を野縁に固定する下地材固定具取付工程と、前記下地材固定具に前記下地材を固定する下地材固定工程と、を有し、前記下地材固定具は、前記野縁に固定される野縁固定部と、前記野縁固定部と接続され前記下地材を支持する下地材支持部と、を有し、前記下地材支持部は、前記野縁固定部から側方に突出する下側支持片と、前記下側支持片よりも上側において前記野縁固定部から側方に突出する上側押さえ片と、を有し、前記上側押さえ片は、前記野縁固定部に近接・離間する方向に弾性変形可能に構成されていて、前記下地材固定工程では、前記下地材を前記上側押さえ片の上方から下側に下降させて、前記下地材で前記上側押さえ片を上側から押して前記野縁固定部に近接する方向に弾性変形させ、前記下地材をさらに下降させて前記上側押さえ片よりも下側に配置するとともに、前記上側押さえ片の弾性変形を復元させて前記下地材を前記上側押さえ片と前記下側支持片との間に配置することを特徴とする。
【０００９】
本発明では、下地材固定具の上側押さえ片は、野縁固定部から側方に突出していて、野縁に近接・離間する方向に弾性変形可能に構成されている。このため、上側押さえ片は、上方から下地材が下降して当接することによって上側からの力が作用すると、下側かつ野縁固定部に近接する方向に弾性変形する。これにより、下地材は、上側押さえ片の側方を通って上側押さえ片よりも下側に移動することができる。そして、上側押さえ片の弾性変形が復元して上側押さえ片が下地材の上方に配置されると、下地材が上側押さえ片と下側支持片との間に配置され、下地材支持部に支持される。
このように、本発明では、下地材を下地材固定具の上方から落とし込むようにして上側押さえ片と下側支持片との間に設置することができるため、下地材を下地材固定具の側方から上側押さえ片と下側支持片との間に挿入するような従来の下地材固定具と比べて、野縁に下地材を容易に固定することができる。
さらに、野縁に固定された下地材固定具の側方に下地材を配置するスペースが無い場合でも、下地材固定具の位置をずらすことなく下地材を下地材固定具に固定することができるため、野縁に下地材を容易に固定することができる。
【００１０】
また、本発明に係る下地材固定具では、前記野縁固定部は、前記野縁に形成された凹部または凸部に係合する野縁係合部を有してもよい。
このような構成とすることにより、野縁固定部が野縁から外れたり、野縁に対して位置ずれしたりすることを防止できるため、下地材固定具が安定した状態で下地材を支持することができる。また、下地材固定具の野縁係合部が野縁の凹部または凸部と係合したかどうかを確認することで、下地材が下地材固定具に固定されたかどうか容易に確認することができる。
【００１１】
また、本発明に係る下地材固定具では、前記上側押さえ片および前記下側支持片は、前記下地材を上下方向から挟持可能に構成されていてもよい。
このような構成とすることにより、下地材固定具が下地材を強固に支持することができるため、下地材が下地材固定具から外れたり、下地材固定具に対して位置ずれしたりすることを防止できる。本発明における挟持とは、互いに対向する方向から力を加えて状態で挟むことを示している。
【００１２】
また、本発明に係る下地材固定具では、前記野縁固定部は、前記野縁の上面に沿って配置される上板部と、前記上板部の両側縁部それぞれから下側に延びて前記野縁の側面に沿って配置される一対の側板部と、を有し、前記上側押さえ片および前記下側支持片は、前記一対の側板部それぞれから側方に突出していてもよい。
このような構成とすることにより、１つの下地材固定具が野縁の一方の側方に配置される下地材、および他方の側方に配置される下地材の両方を支持することができる。
また、野縁の上面に沿って上板部が配置されるとともに、一対の側板部が野縁を側方から挟む構造となるため、下地材固定具が野縁の軸線回りに回転することを防止することができる。これにより、一対の側板部のうちの一方の側板部から突出した上側押さえ片および下側支持片に支持される下地材の重量と、他方の側板部から突出した上側押さえ片および下側支持片に支持される下地材の重量と、が異なる場合でもそれぞれの下地材を安定した状態で支持することができる。
【００１３】
また、本発明に係る下地材固定具では、前記一対の側板部は、前記野縁を側方から挟持可能に構成されていてもよい。
このような構成とすることにより、野縁固定部が野縁から外れたり、野縁に対して位置ずれしたりすることを防止できるため、下地材固定具が安定した状態で下地材を支持することができる。
【発明の効果】
【００１４】
本発明によれば、野縁に下地材を容易に固定することができる。
【図面の簡単な説明】
【００１５】
【図１】本発明の実施形態による天井構造の一例を示す縦断面図である。
【図２】本発明の実施形態による天井構造の平面図である。
【図３】本発明の実施形態による下地材固定具の斜視図である。
【図４】図１のＡ部分拡大図である。
【図５】本発明の実施形態による下地材固定具の上面図である。
【図６】本発明の実施形態による下地材固定具の側面図である。
【発明を実施するための形態】
【００１６】
以下、本発明の実施形態による下地材固定具、天井構造および下地材固定方法について、図１乃至図６に基づいて説明する。
図１および図２に示すように、本実施形態による天井構造１１は、野縁１２と、野縁１２に固定された下地材固定具１と、下地材固定具１に支持された下地材１３と、を有している。
野縁１２は、角筒状に形成された長尺の部材で構成されている。野縁１２の延びる方向を長さ方向とし、長さ方向に直交する水平方向を幅方向とし、上下を結ぶ方向を上下方向とする。野縁１２は、天井に設けられた姿勢であるものとし、この長さ方向、幅方向および上下方向は、野縁１２以外の部材に対しても使用し、野縁１２以外の部材についても天井に設けられた姿勢であるものとする。
【００１７】
野縁１２は、幅方向に所定の間隔をあけて複数配置されている。
野縁１２には、幅方向の両側の側面に、内側に凹んだ溝部（凹部）１２１（図４参照）が長さ方向全体にわたって形成されている。溝部１２１は、野縁１２の両側面それぞれの上部側および下部側の両方に形成されている。
【００１８】
下地材１３は、板材や角材などで、天井を補強したり、天井の遮音性を向上させたりするために設けられている。本実施形態では、下地材１３は、平板状に形成され、板面が水平面となる向きに配置されている。下地材１３は、幅方向に隣り合う野縁１２の間に配置されていて、幅方向の寸法が、隣り合う野縁１２の間隔よりもやや小さい寸法に設定されている。
【００１９】
本実施形態では、天井構造１１は、野縁１２に固定される天井下地材１４と、天井下地材１４に設けられた天井仕上げ材（不図示）と、を有している。野縁１２、下地材１３および下地材固定具１は、天井下地材１４および天井仕上げ材よりも上側に配置されている。
【００２０】
図３乃至図６に示すように、下地材固定具１は、野縁１２に固定される野縁固定部２と、野縁固定部２と接続され下地材１３を支持する下地材支持部３とを有している。本実施形態では、野縁固定部２および下地材支持部３は、鋼板で一体に形成されている。
【００２１】
野縁固定部２は、野縁１２の上面に沿って配置される上板部４と、上板部４の両側縁部それぞれから下側に延びて野縁１２の側面に沿って配置される一対の側板部５と、を有している。
上板部４は、平板状に形成され、板面が水平となる向きに配置されている、上板部４は、幅方向の寸法が野縁１２の幅方向の寸法と略同じ寸法となるように設定されている。
一対の側板部５は、互いに幅方向に対称となる形状となっている。側板部５は、平板状に形成され、板面が幅方向を向くように配置されている。側板部５は、上下方向の寸法が野縁１２の上下方向の寸法と略同じ寸法となるように設定されている。
一対の側板部５は、一方が野縁１２の幅方向の一方側の側面に沿って配置され、他方が野縁１２の幅方向の他方側の面に沿って配置されていて、野縁１２を幅方向から挟んでいる。
【００２２】
一対の側板部５は、下地材固定具１が野縁１２に固定されていない状態では、上側から下側に向かって漸次互いに近接する方向に向かうように傾斜している。一対の側板部５は、上縁部（上板部４との接続部）を軸として互いに近接・離間する方向に回動するように（図４の矢印Ｂの方向）弾性変形可能に構成されている。下地材固定具１を野縁１２に固定する際には、一対の側板部５の間隔を広げるように互いに離間する方向に弾性変形させ、野縁固定部２の内側に野縁１２が配置されたら弾性変形を復元させて野縁１２の側面と当接した状態とする。これにより一対の側板部５が野縁１２を幅方向から締め付けた状態となる。
【００２３】
一対の側板部５には、それぞれ上下方向および長さ方向の中間部に下側から上側に向かって漸次幅方向の内側（一対の側板部５が近接する側）に向かうように突出する野縁係合部６が形成されている。野縁係合部６は、弾性変形可能に構成され、野縁１２の溝部１２１に挿入されて、溝部１２１の内部と当接して係合するように構成されている。本実施形態では、野縁係合部６は、野縁１２における上部側の溝部１２１に挿入されている。
野縁係合部６は、側板部５にコの字形（Ｃ字形）状の第１切り込み部５１（図３および図６参照）を形成し、この第１切り込み部５１の内側の部分５２（図３および図６参照）を幅方向の内側に折り曲げて形成されている。
一対の側板部５には、野縁係合部６の下側にネジなどの固定具を挿通可能な孔部５３（図３および図６参照）が形成されている。
【００２４】
下地材支持部３は、側板部５それぞれから幅方向の外側（一対の側板部５が互いに離間する側）に突出する下側支持片７および上側押さえ片８を有している。本実施形態では、下側支持片７および上側押さえ片８は、一対の側板部５それぞれから幅方向の外側に突出するように設けられている。一方の側板部５から突出する下側支持片７と、他方の側板部５から突出する下側支持片７とは、幅方向に対称となる形状となっている。一方の側板部５から突出する上側押さえ片８と、他方の側板部５から突出する上側押さえ片８とは、幅方向に対称となる形状となっている。
【００２５】
下側支持片７は、側板部５の下縁部から幅方向の外側に延びるように突出している。下側支持片７は、平板状に形成され、板面が水平面となる向きに配置されている。本実施形態では、下側支持片７には、ネジなどの固定具を挿通可能な孔部７１が形成されている。
【００２６】
上側押さえ片８は、側板部５の上下方向の中間部から上側から下側に向かって漸次幅方向の外側に向かうように突出している。上側押さえ片８は、側板部５の長さ方向の両端部の近傍それぞれに設けられている。
上側押さえ片８は、側板部５にＬ字形状の第２切り込み部５４（図３および図６参照）を形成し、この第２切り込み部５４の内側の部分５５（図３および図６参照）を幅方向の外側に折り曲げて形成されている。上側押さえ片８は、平板状に形成されている。
【００２７】
側板部５の長さ方向の一方側の端部の近傍に形成されたＬ字形状の第２切り込み部５４は、板部の長さ方向の一方側の端部における上下方向の中間部から長さ方向の他方側に延び、この長さ方向の他方側の端部からさらに上側に延びている。側板部５の長さ方向の一方側の端部の近傍に設けられた上側押さえ片８は、第２切り込み部５４の上端部から側板部５の長さ方向の一方側の端部まで長さ方向に延びる線を折り曲げ線５６として、この折り曲げ線５６の下側の部分５５が幅方向の外側に突出するように折り曲げられることで形成されている。上側押さえ片８は、上側から下側に向かって漸次幅方向の外側に向かうように傾斜している。
側板部５の長さ方向の一方の端部の近傍に設けられた上側押さえ片８と、他方の端部の近傍に設けられた上側押さえ片８とは、長さ方向に対称となる形状となっている。
【００２８】
上側押さえ片８は、弾性変形可能で、上方または幅方向の外側から加力されることで、折り曲げ線５６を軸として側板部５に近接する方向に回動し、加力が解除されると側板部５と離間する方向に回動して復元するように構成されている。上側押さえ片８が弾性変形可能な方向を図４の矢印Ｃとして示す。
上側押さえ片８の下端部と下側支持片７の上面との間隔は、下地材１３の厚さ寸法（上下方向の寸法）と略同じ寸法となるように設定されている。
【００２９】
次に、本実施形態による下地材固定方法について説明する。
ここでは、幅方向に間隔をあけて配置された２つの野縁１２の間に下地材１３を設置する。
まず、２つの野縁１２それぞれに下地材固定具１を取り付ける下地材固定具取付工程を行う。
下地材固定具１の一対の側板部５を互いに離間する方向に弾性変形させて一対の側板部５の間隔を広くして、下地材固定具１を野縁１２に上方から被せる。上板部４を野縁１２の上面と当接させて、一対の側板部５の弾性変形を復元させて一対の側板部５に野縁１２を幅方向から挟持させる。また、下地材固定具１の野縁係合部６を野縁１２の側面の溝部１２１に挿入し、野縁係合部６を溝部１２１に係合させる。これにより、下地材固定具１が野縁１２に固定される。２つの野縁１２それぞれに取り付けられた下地材固定具１は、幅方向に隣り合う位置に配置されている。２つの野縁１２のうち、幅方向の一方側に配置された野縁１２を第１野縁１２Ａとし、幅方向の他方側に配置された野縁１２を第２野縁１２Ｂとする（図１および図２参照）。
【００３０】
下地材固定具取付工程が完了したら、下地材固定具１に下地材１３を固定する下地材固定工程を行う。
下地材１３を下地材固定具１よりも上側で設置位置の鉛直方向上側となる位置に、板面が略水平となる姿勢に配置する。この姿勢のまま下地材１３を下降させて下地材１３を下地材固定具１の上側押さえ片８に上側から当接させる。下地材１３の幅方向の一方の端部を第１野縁１２Ａに取り付けられた下地材固定具１の幅方向の他方側の上側押さえ片８と当接させ、下地材１３の幅方向の他方の端部を第２野縁１２Ｂに取り付けられた下地材固定具１の幅方向の一方側の上側押さえ片８と当接させる。
【００３１】
さらに、下地材１３を下降させて下地材１３で上側押さえ片８を下側に押圧し、上側押さえ片８を野縁１２側に弾性変形させて、第１野縁１２Ａに取り付けられた下地材固定具１の上側押さえ片８と第２野縁１２Ｂに取り付けられた下地材固定具１の上側押さえ片８との間隔を広げる。広がった２つの上側押さえ片８の間を通して下地材１３を上側押さえ片８の下側まで移動させて、下地材１３を下側支持片７の上に載せる。
下地材１３が下側支持片７の上に載ると、下地材１３が上側押さえ片８と離間するため、上側押さえ片８には上側および幅方向外側からの加力がなくなる。これにより、上側押さえ片８の弾性変形が復元して、側板部５から幅方向の外側に突出した状態となり、下地材１３の上側に配置される。
【００３２】
下地材１３は、上側押さえ片８と下側支持片７との間に配置されると、上側押さえ片８および下側支持片７に上下方向から挟持されて、上下方向の移動が拘束される。これにより、下地材１３が下地材固定具１を介して野縁１２に固定される。
下地材固定具１の下側支持片７の下面と、野縁１２の下面とは略面一となるように配置されている。
野縁１２および下地材固定具１の下側には、天井下地材１４が野縁１２の下面および下側支持片７の下面に沿った状態に配置される。天井下地材１４は、ネジなどの下地材固定具１で野縁１２に固定される。
【００３３】
次に、上述した本発明の実施形態による下地材固定具１、天井構造１１および下地材取付方法の作用・効果について図面を用いて説明する。
上述した本実施形態による下地材固定具１、天井構造１１および下地材取付方法では、下地材固定具１の上側押さえ片８は、野縁固定部２から側方に突出していて、野縁１２に近接・離間する方向に弾性変形可能に構成されている。このため、上側押さえ片８は、上方から下地材１３が下降して当接することによって上側からの力が作用すると、下側かつ野縁固定部２に近接する方向に弾性変形する。これにより、下地材１３は、上側押さえ片８の側方を通って上側押さえ片８よりも下側に移動することができる。そして、上側押さえ片８の弾性変形が復元して上側押さえ片８が下地材１３の上方に配置されると、下地材１３が上側押さえ片８と下側支持片７との間に配置され、下地材支持部３に支持される。
このように、本実施形態では、下地材１３を下地材固定具１の上方から落とし込むようにして上側押さえ片８と下側支持片７との間に設置することができるため、下地材を下地材固定具の側方から上側押さえ片と下側支持片との間に挿入するような従来の下地材固定具と比べて、野縁１２に下地材１３を容易に固定することができる。
さらに、野縁１２に固定された下地材固定具１の側方に下地材１３を配置するスペースが無い場合でも、下地材固定具１の位置をずらすことなく下地材１３を下地材固定具１に固定することができるため、野縁１２に下地材１３を容易に固定することができる。
【００３４】
また、本実施形態による下地材固定具１では、野縁固定部２は、野縁１２に形成された溝部１２１に挿入されて係合する野縁係合部６を有している。これにより、野縁固定部２が野縁１２から外れたり、野縁１２に対して位置ずれしたりすることを防止できるため、下地材固定具１が安定した状態で下地材１３を支持することができる。本実施形態では、野縁係合部６によって下地材固定具１が野縁１２から外れることを防止できるため、下地材固定具１をネジなどの固定具で野縁１２に固定しない構成となっている。このように、下地材固定具１の設置においてネジ止め作業が不要となるため、施工性を向上させることができるとともに、下地材固定具１の製造および野縁１２への設置にかかるコストを削減することができる。
また、下地材固定具１の野縁係合部６が野縁１２の溝部１２１と係合したかどうかを確認することで、下地材固定具１が下地材固定具１に固定されたかどうか容易に確認することができる。
【００３５】
また、本実施形態による下地材固定具１では、上側押さえ片８および下側支持片７は、下地材１３を上下方向から挟持可能に構成されている。これにより、下地材固定具１が下地材１３を強固に支持することができるため、下地材１３が下地材固定具１から外れたり、下地材固定具１に対して位置ずれしたりすることを防止できる。
【００３６】
また、本実施形態による下地材固定具１では、野縁固定部２は、野縁１２の上面に沿って配置される上板部４と、上板部４の両側縁部それぞれから下側に延びて野縁１２の側面に沿って配置される一対の側板部５と、を有し、上側押さえ片８および下側支持片７は、一対の側板部５それぞれから側方に突出している。これにより、１つの下地材固定具１が野縁１２の一方の側方に配置される下地材１３、および他方の側方に配置される下地材１３の両方を支持することができる。
また、野縁１２の上面に沿って上板部４が配置されるとともに、一対の側板部５が野縁１２を側方から挟む構造となるため、下地材固定具１が野縁１２の軸線回りに回転することを防止することができる。これにより、一対の側板部５のうちの一方の側板部５から突出した上側押さえ片８および下側支持片７に支持される下地材１３の重量と、他方の側板部５から突出した上側押さえ片８および下側支持片７に支持される下地材１３の重量と、が異なる場合でもそれぞれの下地材１３を安定した状態で支持することができる。
【００３７】
また、本実施形態による下地材固定具１では、一対の側板部５は、野縁１２を幅方向から挟持可能に構成されている。これにより、野縁固定部２が野縁１２から外れたり、野縁１２に対して位置ずれしたりすることを防止できるため、下地材固定具１が安定した状態で下地材１３を支持することができる。本実施形態では、一対の側板部５が野縁１２を幅方向から挟持していることによって、下地材固定具１が野縁１２から外れることを防止できるため、下地材固定具１をネジなどの固定具で野縁１２に固定しない構成となっている。このように、下地材固定具１の設置においてネジ止め作業が不要となるため、施工性を向上させることができるとともに、下地材固定具１の製造および野縁１２への設置にかかるコストを削減することができる。
【００３８】
以上、本発明による下地材固定具、天井構造および下地材取付方法の実施形態について説明したが、本発明は上記の実施形態に限定されるものではなく、その趣旨を逸脱しない範囲で適宜変更可能である。
例えば、上記の実施形態では、野縁固定部２は、野縁１２に形成された溝部１２１に挿入されて係合する野縁係合部６を有しているがこのような野縁係合部６を有していなくてもよい。
また、野縁に凸部が形成され、野縁固定部に野縁の凸部に係合する野縁係合部が形成されていて、野縁係合部が野縁の凸部に係合することで野縁固定部が野縁から外れたり、野縁に対して位置ずれしたりすることを防止できるような構成としてもよい。
また、野縁係合部６は、側板部５に第１切り込み部５１を形成してその内側の部分５２折り曲げた形態であるが、野縁１２の溝部１２１に係合可能であれば、上記以外の形態であってもよい。
また、上記の実施形態では、下地材固定具１は、一対の側板部５が野縁１２を幅方向から挟持して野縁１２に固定されているが、野縁１２を挟持しない状態で固定されていてもよい。例えば、一対の側板部５が野縁１２を挟持していない状態で、野縁固定部２がネジなどの固定具で野縁１２に固定されるように構成されていてもよい。例えば、野縁固定部２は、側板部５に形成された孔部５３に挿通されたネジなどの固定具で野縁１２に固定されていてもよい。
【００３９】
また、上記の実施形態では、上側押さえ片８および下側支持片７は、下地材１３を上下方向から挟持するように構成されているが、上側押さえ片８と下側支持片７との間に下地材１３が配置されて、下地材１３の移動を拘束できる構成であれば、上側押さえ片８および下側支持片７が下地材１３を挟持していなくてもよい。
また、下地材１３が下側支持片７に形成された孔部７１に挿通されたネジなどの固定具で下側支持片７と固定されるように構成されていてもよい。
【００４０】
また、上記の実施形態では、野縁固定部２は、野縁１２の上面に沿って配置される上板部４と、上板部４の両側縁部それぞれから下側に延びて野縁１２の側面に沿って配置される一対の側板部５と、を有し、上側押さえ片８および下側支持片７は、一対の側板部５それぞれから側方に突出している。これに対し、下地材固定具は、上側押さえ片８および下側支持片７が一方の側板部５のみから突出するように設けられていてもよい。
このような下地材固定具１は、例えば、図１に示す下地材固定具１Ｃのように、壁１５の上方に設けられて、一方側の側方のみに下地材１３が配置される野縁１２Ｃに取り付けることができる。また、このような下地材固定具１Ｃにおいては、一対の側板部５のうちの上側押さえ片８および下側支持片７が設けられていないほうの側板部５の形状は適宜設定されてよい。
【００４１】
また、上記の実施形態では、上側押さえ片８は側板部５に第２切り込み部５４を設けてその内側の部分５５を折り曲げた形態であるが、野縁固定部２から幅方向の外側に突出し、野縁固定部２に近接・離間する方向に弾性変形可能であれば上記以外の形態であってもよい。また、上側押さえ片８は、平板状に形成されているが、湾曲した形状や、先端部が屈曲した形状など平板以外の形状であってもよい。
【００４２】
また、上記の実施形態では、下側支持片７は、側板部５の下縁部から幅方向の外側に突出した形態であるが、野縁固定部２から幅方向の外側に突出していれば、側板部５の下縁部よりも上側から突出していてもよい。また、下側支持片７は、平板状に形成されているが、湾曲した形状や、先端部が屈曲した形状など平板以外の形状であってもよい。
また、上記の実施形態では、野縁固定部２および下地材支持部３は、鋼板で一体に形成されているが、樹脂などで形成されていてもよいし、別体に形成されてそれぞれが接合された形態であってもよい。
【符号の説明】
【００４３】
１  下地材固定具
２  野縁固定部
３  下地材支持部
４  上板部
５  側板部
６  野縁係合部
７  下側支持片
８  上側押さえ片
１１  天井構造
１２  野縁
１３  下地材
１２１  溝部（凹部）
【図１】
2019094649.tif 000003
【図２】
2019094649.tif 000004
【図３】
2019094649.tif 000005
【図４】
2019094649.tif 000006
【図５】
2019094649.tif 000007
【図６】
2019094649.tif 000008